(57)【特許請求の範囲】
【請求項１】
各々同じ容量を有するｎ個（ｎは任意の整数）の連続した資源を、異なる大きさを有する複数のタスクに割当てる資源割当方法であって、
上記各資源の容量をｃとしたとき、上記複数のタスクの大きさはｃ×２k（ｋ＝０，１，２，…，Ｍ）で表されるとき、
利用不能な資源の位置を検出する利用不能資源検出ステップと、
上記ｎ個の連続した資源の両端部分からｃ×２kの容量の部分の資源を非割当てと規定し且つ上記利用不能資源検出ステップで検出した利用不能な資源を非割当てと規定する非割当資源設定ステップと、
上記非割当て部分を除いた資源を端部から順番にｃ×２kの容量毎に割当てる第ｋ資源割当ステップと、
上記第ｋ資源割当ステップにて割当て不能であったｃ×２kの容量より小の容量の資源を次の第（ｋ−１）資源割当ステップでの元の資源として上記非割当資源設定ステップと第ｋ資源割当ステップをｋがＭから０まで順番に繰り返す第１繰り返しループと、
上記繰り返しによって割当てられたｃ×２kの容量の資源をｃ×２kの容量のタスクに割当てると共に上記ｃ×２kの容量のタスクの全てに割当てた後にさらに資源が余っていればｃ×２k-1の容量のタスクに対しても割当てを行う第ｋタスク割当てステップと、
上記第ｋタスク割当てステップの際にｃ×２k-1の容量のタスクを割当てた資源を２分割し第（ｋ−１）タスク割当ステップでの元の資源として上記第（ｋ−１）資源割当ステップによって割当てられた資源と合成する第（ｋ−１）資源合成ステップと、
上記第ｋタスク割当ステップと上記第（ｋ−１）資源合成ステップとをｋがＭから０まで順番に繰り返す第２繰り返しループとからなる
資源割当方法。
【請求項２】
各々同じ容量を有するｎ個（ｎは任意の整数）の連続した資源を、異なる大きさを有する複数のタスクに割当てる資源割当方法であって、
上記各資源の容量をｃとしたとき、上記複数のタスクの大きさはｃ×２k（ｋ＝０，１，２，…，Ｍ）で表されるとき、
利用不能な資源の位置を検出する利用不能資源検出ステップと、
上記ｎ個の連続した資源の両端部分からｃ×２kの容量の部分の資源を非割当てと規定し且つ上記利用不能資源検出ステップで検出した利用不能な資源を非割当てと規定する非割当資源設定ステップと、
上記非割当て部分を除いた資源を端部から順番にｃ×２kの容量毎に割当てる第ｋ資源割当ステップと、
上記第ｋ資源割当ステップにて割当て不能であったｃ×２kの容量より小の容量の資源を次の第（ｋ−１）資源割当ステップでの元の資源として上記非割当資源設定ステップと第ｋ資源割当ステップをｋがＭから０まで順番に繰り返す第１繰り返しループと、
上記繰り返しによって割当てられたｃ×２kの容量の資源をｃ×２kの容量のタスクに割当てると共に上記ｃ×２kの容量のタスクの全てに割当てた後にさらに資源が余っていればｃ×２k-1の容量のタスクに対しても割当てを行う第ｋタスク割当てステップと、
上記第ｋタスク割当てステップで割当てられたタスクと資源の対応関係を入替える第ｋ割当入替ステップと、
上記第ｋタスク割当てステップの際にｃ×２k-1の容量のタスクが割当てられその後上記第ｋ割当入替ステップによって入替えられた資源を２分割し第（ｋ−１）タスク割当ステップでの元の資源として上記第（ｋ−１）資源割当ステップによって割当てられた資源と合成する第（ｋ−１）資源合成ステップと、
上記第ｋタスク割当ステップと上記第ｋ割当入替ステップと上記第（ｋ−１）資源合成ステップとをｋがＭから０まで順番に繰り返す第２繰り返しループとからなる
資源割当方法。
【請求項３】
請求項２記載の資源割当方法において、
上記第ｋ割当入替ステップは擬似乱数によって上記入替えを行う
資源割当方法。
【請求項４】
各々同じ容量を有するｎ個（ｎは任意の整数）のスロットの連続で構成される通信資源を、異なる大きさを有する複数の通信情報に割当てる通信資源割当方法であって、
上記各スロットの容量をｃとし、上記複数の通信情報の大きさはｃ×２k（ｋ＝０，１，２，…，Ｍ）で表されるとき、
利用不能なスロットの位置を検出する利用不能スロット検出ステップと、
上記ｎ個のスロットが連続した通信資源の両端部分からｃ×２kの容量の部分の通信資源を非割当てと規定し且つ上記利用不能スロット検出ステップで検出した利用不能な通信資源を非割当てと規定する非割当通信資源設定ステップと、
上記非割当て部分を除いた通信資源を端部から順番にｃ×２kの容量毎に割当てる第ｋ通信資源割当ステップと、
上記第ｋ通信資源割当ステップにて割当て不能であったｃ×２kの容量より小の容量の通信資源を次の第（ｋ−１）通信資源割当ステップでの元の通信資源として上記非割当通信資源設定ステップと第ｋ通信資源割当ステップをｋがＭから０まで順番に繰り返す第１繰り返しループと、
上記繰り返しによって割当てられたｃ×２kの容量の通信資源をｃ×２kの容量の通信情報に割当てると共に上記ｃ×２kの容量の通信情報の全てに割当てた後にさらに資源が余っていればｃ×２k-1の容量の通信情報に対しても割当てを行う第ｋ通信情報割当てステップと、
上記第ｋ通信情報割当てステップの際にｃ×２k-1の容量の通信情報を割当てた通信資源を２分割し第（ｋ−１）通信情報割当ステップでの元の通信資源として上記第（ｋ−１）通信資源割当ステップによって割当てられた通信資源と合成する第（ｋ−１）通信資源合成ステップと、
上記第ｋ通信情報割当ステップと上記第（ｋ−１）通信資源合成ステップとをｋがＭから０まで順番に繰り返す第２繰り返しループとからなる
通信資源割当方法。
【請求項５】
各々同じ容量を有するｎ個（ｎは任意の整数）のスロットの連続で構成される通信資源を、異なる大きさを有する複数の通信情報に割当てる通信資源割当方法であって、
上記各スロットの容量をｃとし、上記複数の通信情報の大きさはｃ×２k（ｋ＝０，１，２，…，Ｍ）で表されるとき、利用不能なスロットの位置を検出する利用不能スロット検出ステップと、上記ｎ個のスロットが連続した通信資源の両端部分からｃ×２kの容量の部分の通信資源を非割当てと規定し且つ上記利用不能スロット検出ステップで検出した利用不能な通信資源を非割当てと規定する非割当通信資源設定ステップと、
上記非割当て部分を除いた通信資源を端部から順番にｃ×２kの容量毎に割当てる第ｋ通信資源割当ステップと、上記第ｋ通信資源割当ステップにて割当て不能であったｃ×２kの容量より小の容量の通信資源を次の第（ｋ−１）通信資源割当ステップでの元の通信資源として上記非割当通信資源設定ステップと第ｋ通信資源割当ステップをｋがＭから０まで順番に繰り返す第１繰り返しループと、
上記繰り返しによって割当てられたｃ×２kの容量の通信資源をｃ×２kの容量の通信情報に割当てると共に上記ｃ×２kの容量の通信情報の全てに割当てた後にさらに資源が余っていればｃ×２k-1の容量の通信情報に対しても割当てを行う第ｋ通信情報割当てステップと、
上記第ｋ通信情報割当てステップで割当てられた通信情報と通信資源の対応関係を入替える第ｋ通信情報割当入替ステップと、
上記第ｋ通信情報割当てステップの際にｃ×２k-1の容量の通信情報が割当てられその後上記第ｋ通信情報割当入替ステップによって入替えられた通信資源を２分割し第（ｋ−１）通信情報割当ステップでの元の通信資源として上記第（ｋ−１）通信資源割当ステップによって割当てられた通信資源と合成する第（ｋ−１）通信資源合成ステップと、
上記第ｋ通信情報割当ステップと上記第ｋ通信情報割当入替ステップと上記第（ｋ−１）通信資源合成ステップとをｋがＭから０まで順番に繰り返す第２繰り返しループとからなる
通信資源割当方法。
【請求項６】
請求項５記載の通信資源割当方法において、
上記第ｋ割当入替ステップは擬似乱数によって上記入替えを行う
通信資源割当方法。
【請求項７】
各々同じ伝送容量ｃを有するｎ個（ｎは任意の整数）のスロットの連続で構成される通信資源が各局に割当てられ、ｃ×２k（ｋ＝０，１，２，…，Ｍ）で表される異なる大きさを有する複数の単位の通信情報を上記通信資源に割当てて、端末装置に対して伝送する基地局において、
妨害波の存在するスロット位置を検出する妨害波検出手段と、
上記ｎ個のスロットが連続した通信資源の両端部分からｃ×２kの容量の部分の通信資源を非割当てとし且つ上記妨害波検出手段が検出したスロット位置を非割当てとする非割当スロット設定処理を行う非割当スロット設定手段と、
上記非割当スロット設定手段で非割当てとされたスロットを除いた通信資源を端部から順番にｃ×２kの容量毎に割当てる第ｋ資源割当処理と、その第ｋ資源割当処理にて割当て不能であったｃ×２kの容量より小の容量の資源を次の第（ｋ−１）資源割当処理での元の資源として上記非割当スロット設定処理と第ｋ資源割当処理をｋがＭから０まで順番に繰り返す第１繰り返しループ処理と、上記繰り返しによって割当てられたｃ×２kの容量の資源をｃ×２kの容量のタスクに割当てると共に上記ｃ×２kの容量のタスクの全てに割当てた後にさらに資源が余っていればｃ×２k-1の容量のタスクに対しても割当てを行う第ｋタスク割当て処理と、上記第ｋタスク割当て処理の際にｃ×２k-1の容量のタスクを割当てた資源を２分割し第（ｋ−１）タスク割当処理での元の資源として上記第（ｋ−１）資源割当処理によって割当てられた資源と合成する第（ｋ−１）資源合成処理と、上記第ｋタスク割当処理と上記第（ｋ−１）資源合成処理とをｋがＭから０まで順番に繰り返す第２繰り返しループ処理とを行う通信資源設定手段と、
上記通信資源設定手段で設定されたスロット割当てで、端末装置との間で通信を行う通信処理手段とを備えた
基地局。
【請求項８】
請求項７記載の基地局において、
上記通信資源設定手段で設定されるスロットと各単位の通信情報との対応関係を所定の順序で入替える入替え手段を備えた
基地局。
【請求項９】
請求項８記載の基地局において、
上記所定の順序は、擬似乱数で設定されるようにした
基地局。
【請求項１０】
請求項８記載の基地局において、
上記所定の順序に関する情報を、端末装置に対して伝送するようにした
基地局。
【請求項１１】
各々同じ伝送容量ｃを有するｎ個（ｎは任意の整数）のスロットの連続で構成される通信資源が割当てられた基地局から、ｃ×２k（ｋ＝０，１，２，…，Ｍ）で表される異なる大きさを有する複数の単位の通信情報を上記通信資源に割当てて伝送される信号の通信を行う端末装置において、
上記基地局と通信を行う通信手段と、上記通信手段で上記基地局から伝送される制御情報を判別し、その制御情報に含まれるスロット割当て情報に基づいて、上記通信情報が割当てられた状態を判断するスロット割当て判断手段と、
上記スロット割当て判断手段での判断に基づいて、上記通信手段で上記基地局と通信を行うスロットを選択する選択手段とを備え、
上記スロット割当て判断手段での判断処理として、
上記ｎ個のスロットが連続した通信資源の両端部分からｃ×２kの容量の部分の通信資源を非割当てとする非割当スロット設定処理と、上記非割当スロット設定処理で非割当てとされたスロットを除いた通信資源を端部から順番にｃ×２kの容量毎に割当てる第ｋ資源割当処理と、その第ｋ資源割当処理にて割当て不能であったｃ×２kの容量より小の容量の資源を次の第（ｋ−１）資源割当処理での元の資源として上記非割当スロット設定処理と第ｋ資源割当処理をｋがＭから０まで順番に繰り返す第１繰り返しループ処理と、上記繰り返しによって割当てられたｃ×２kの容量の資源をｃ×２kの容量のタスクに割当てると共に上記ｃ×２kの容量のタスクの全てに割当てた後にさらに資源が余っていればｃ×２k-1の容量のタスクに対しても割当てを行う第ｋタスク割当て処理と、上記第ｋタスク割当て処理の際にｃ×２k-1の容量のタスクを割当てた資源を２分割し第（ｋ−１）タスク割当処理での元の資源として上記第（ｋ−１）資源割当処理によって割当てられた資源と合成する第（ｋ−１）資源合成処理と、上記第ｋタスク割当処理と上記第（ｋ−１）資源合成処理とをｋがＭから０まで順番に繰り返す第２繰り返しループ処理とを行う
端末装置。
【請求項１２】
請求項１１記載の端末装置において、
上記通信資源設定処理で設定されるスロットと各単位の通信情報との対応関係を所定の順序で入替える入替え処理を行う
端末装置。
【請求項１３】
請求項１２記載の端末装置において、
上記所定の順序は、上記制御情報で指定された擬似乱数で設定されるようにした
端末装置。
【発明の詳細な説明】
【０００１】
【発明の属する技術分野】
本発明は、各種資源を所定のタスクに割当てて処理する資源割当方法に関し、特に用意された周波数帯域などの通信資源を複数の通信情報に割当てて伝送させる通信資源割当方法に好適な割当方法に関する。また本発明は、この通信資源割当方法が適用される基地局及び端末装置に関する。
【０００２】
【従来の技術】
無線電話システムなどの移動通信においては、一つの基地局に複数の移動局（端末装置）を接続させる多元接続が行われている。ここで、無線電話の場合には、一つの基地局を多数の端末装置が共通に使用するため、各端末装置間の干渉を避けるような種々の通信方式が提案されている。従来からあるこの種の通信方式としては、例えば周波数分割多元接続（ＦＤＭＡ：Frequency Division Multiple Access）、時分割多元接続方式（ＴＤＭＡ：Time Division Multiple Access ）、符号分割多元接続方式（ＣＤＭＡ：Code Division Multiple Access ）などがある。
【０００３】
例えばＴＤＭＡ方式の場合には、１伝送帯域（周波数チャンネル）を所定の時間単位で区切ってタイムスロットを形成させ、所定数のタイムスロット期間で１ＴＤＭＡフレームを形成させる。そして、１ＴＤＭＡフレーム内の各タイムスロットを、個別の端末装置に割当て、１つの伝送帯域で複数台の端末装置が基地局に接続できるようにしたものである。
【０００４】
ＴＤＭＡ方式以外の他の通信方式の場合にも、基本的にはそれぞれＴＤＭＡ方式でのタイムスロットに代わる概念のスロットを所定の方法で形成させて、多元接続ができるようにしたものである。
【０００５】
【発明が解決しようとする課題】
ところで、どの通信方式を適用する場合でも、１単位の間（例えばＴＤＭＡ方式の場合の１タイムスロット）に伝送できる容量は決まっており、基地局と端末装置との間の伝送容量は一定としてあった。無線電話システムの場合には、一般に通話用音声データが伝送できる容量を設定してある。
【０００６】
ところが、近年無線電話システムで伝送されるデータとして、通話用音声データ以外の各種データ（例えばファクシミリ用画像データ，電子メールデータ，インターネット用データなど）の伝送を行う場合があり、このようなデータの場合には、通話用音声データに適した一定の伝送容量では十分でない場合が多々ある。
【０００７】
このようなデータを扱う無線電話システムの場合には、伝送容量を可変にすることが望ましいが、各基地局で扱う伝送データとして、伝送容量の異なる複数のデータが混在すると、伝送の制御が複雑になる問題があった。即ち、各基地局に割当てられた周波数帯域などの通信資源を、どのように割当てて各端末装置との通信容量を設定するかを決める処理を、適正に行うためには、同時に接続される端末装置の数と、それぞれの端末装置での通信容量などを把握して、チャンネル割当てを行う必要があり、随時変化する端末数や通信容量に応じてリアルタイムで適切なチャンネル割当てを行うためには、複雑な制御処理が必要であった。
【０００８】
特に、用意された伝送帯域を均等に使用するために、端末装置と基地局との間で通信する周波数を逐次切換える周波数ホッピングと称される処理を行う場合には、伝送容量の異なる複数の通信回線が混在した場合に、各容量の回線が適切に周波数切換えできるように、チャンネル割当てを行う必要があり、非常に複雑な制御処理が必要になってしまう。
【０００９】
なお、ここでは無線電話システムなどの通信を行う場合に、異なる伝送容量の回線が混在した場合の問題について説明したが、例えばコンピュータ装置などの各種データ処理装置でデータ処理を行う場合において、異なる容量のデータ（タスク）が混在する場合に、その各容量のデータを何らかのもの（資源）に割当てて処理する場合などにおいても、その割当て処理が複雑になる問題があった。
【００１０】
本発明はかかる点に鑑み、異なる容量のデータ（タスク）が混在する場合のチャンネルなどの割当てが簡単にできるようにすることを目的とする。
【００１１】
【課題を解決するための手段】
この問題点を解決するために本発明は、各々同じ容量ｃを有するｎ個（ｎは任意の整数）の連続した資源を、ｃ×２k （ｋ＝０，１，２，…，Ｍ）で表される異なる大きさを有する複数のタスクに割当てる場合に、利用不能な資源の位置を検出する利用不能資源検出処理と、上記資源の両端部分からｃ×２k の容量の部分の通信資源を非割当てとし且つ利用不能資源検出処理で検出した利用不能な資源の位置を非割当てとする非割当資源設定処理と、この非割当資源設定処理で非割当てとされた位置を除いた資源を端部から順番にｃ×２k の容量毎にその容量のタスクに割当て、割当て不能であったｃ×２k の容量より小の容量のタスクを、ｃ×２k-1 の容量毎にその容量のタスクに割当てる処理を、ｋの値が割当て不能の値になるまで順次行う資源設定処理とを備えるものである。
【００１２】
かかる処理を行うことによって、用意された資源を、異なる大きさを有するタスクに効率良く割当てることができる。
【００１３】
【発明の実施の形態】
以下、本発明の一実施の形態を、添付図面を参照して説明する。
【００１４】
本例においては、セルラ方式の無線電話システムに適用したもので、まず本例が適用される通信方式の構成について説明する。本例の通信方式の構成は、基本的にはＴＤＭＡ方式により通信が行われるシステムとしてあるが、各タイムスロット内で伝送される信号として、マルチキャリア信号としてある。即ち、予め割当てられた帯域（Band）内に複数のサブキャリアを連続的に配置し、この１帯域内の複数のサブキャリアを１つの伝送路（パス）で同時に使用するいわゆるマルチキャリア方式としてあり、さらに１帯域内の複数のサブキャリアを一括して時間で分割（Division）して変調するもので、ここでは帯域分割多元接続（ＢＤＭＡ：Band Division Multiple Access ）方式と称する。
【００１５】
以下、その接続方式の基本的な構成について説明すると、図４は、本例の伝送信号のスロット構成を示す図で、縦軸を周波数を、横軸を時間としたものである。本例の場合には、周波数軸と時間軸とを格子状に分割した直交基底を与えるものである。即ち、１つの伝送帯域（１バンドスロット）が１５０ＫＨｚとされ、この１５０ＫＨｚの１伝送帯域内に、２４本のサブキャリアを配置する。この２４本のサブキャリアは、６．２５ｋＨｚ間隔で等間隔に連続的に配置され、１キャリア毎に０から２３までのサブキャリア番号が付与される。但し、実際に存在するサブキャリアは、サブキャリア番号１から２２までの２２本としてあり、１バンドスロット内の両端部のサブキャリア番号０及び２３についてはサブキャリアを立てないガードバンドとしてあり、電力を０としてある。そして、例えば２２本のサブキャリアの各キャリア毎の位相差などでデータを伝送するようにしてある。
【００１６】
このように構成される１バンドスロットが、３４連続した３４バンドスロットが、周波数上での１伝送単位としてある。即ち、図５のＡに示すように、第０バンドスロットから第３３バンドスロットまでの連続した３４バンドスロットが、周波数上での１伝送単位（１システムバンド）として使用され、各バンドスロットでは、図５のＢに示すように、２２本のマルチキャリア信号が伝送に使用される。各基地局では、この３４バンドスロットで構成される１システムバンドの帯域を、その基地局に割当てられた通信帯域内に所定の数配置する。即ち、１バンドスロットが１５０ｋＨｚであるので、３４バンドスロットの１システムバンドで５．１ＭＨｚの帯域を必要とし、ある基地局に周波数帯域が５．１ＭＨｚの周波数帯域が割当ててある場合には、その基地局に１システムバンド配置し、１０．２ＭＨｚの周波数帯域が割当ててある場合には、その基地局に２システムバンド配置する。
【００１７】
図４に戻って時間軸の構成を説明すると、２００μ秒間隔で１タイムスロットが規定され、１タイムスロット毎に２２本のサブキャリアにバースト信号が変調されて伝送される。ここでは２５タイムスロット配置された状態が、１フレームと定義される。この１フレーム内の２５タイムスロットには、０から２４までの連続したタイムスロット番号が付与される。図４中にハッチングを付与して示す範囲は、１バンドスロットの１タイムスロット区間を示すものである。
【００１８】
この周波数軸と時間軸とを格子状に分割した直交基底を使用して、基地局が複数の端末装置と同時期に通信を行う多元接続を行うものである。ここで、基地局と各端末装置とで通信を行うバンドスロットは、１バンドスロットの通信を行う毎に、次の通信時には別のバンドスロットに切換える周波数ホッピングと称される周波数切換え処理を行う。即ち、例えば基地局と各端末装置との通信は、所定数のタイムスロット間隔で行われるので、端末装置側で通信が行われないタイムスロット期間を利用して、通信系回路で送受信の周波数チャンネル（バンドスロット）を切換える処理を行う。このバンドスロットの切換えは、図５に示した１単位の伝送周波数内（即ち３４バンドスロットで構成される１システムバンド内）で行われる。この周波数ホッピングを行うことで、例えば１つの基地局に用意された複数のバンドスロットを、この基地局に接続される複数の端末装置で均等に使用することができる。
【００１９】
このように通信を行う状態を設定することで、各端末装置と基地局との間で伝送される信号は、他の信号に対して直交性が保たれた状態となり、他の信号の干渉を受けることなく、該当する信号だけを良好に取り出すことができる。そして、周波数ホッピングにより伝送するバンドスロットを随時切換えるので、各基地局に用意された伝送帯域が有効に活用され、効率の良い伝送ができる。この場合、上述したように１つの基地局（セル）に割当てる周波数帯域を、自由に割当てることができるので、使用される状況に応じた自由なシステム設定が可能になる。
【００２０】
この周波数軸と時間軸とを格子状に分割した直交基底が構成された通信資源を使用して、チャンネル割当てを行う場合の処理を、図１〜図３を参照して以下説明する。図１は、本例での１システムバンド内の０から３３までの３４バンドスロットの周波数割当て状態を示す図である。また図２は、この図１に示す周波数割当てで通信を行うときの論理チャンネル番号とバンドスロット番号との対応の一例を示す図である。図３は、図２に示す論理チャンネルの割当てをバンドスロット番号から見た図である。
【００２１】
まず、基地局と端末装置との間で伝送される信号の容量について説明すると、ここでは〔１バンドスロット×１タイムスロット〕で伝送できる容量が最低の単位としてあり、この最低単位の整数倍で伝送容量を可変できる構成としてあり、最大で〔４バンドスロット×４タイムスロット〕の１６倍の容量まで１単位の通信で伝送できる構成としてある。
【００２２】
図２に示した例は、バンドスロット数をＮ、タイムスロット数をＭとしたとき、〔Ｎ×Ｍ〕として、〔４×４〕の１論理チャンネルの通信と、〔４×２〕の２論理チャンネルの通信と、〔２×４〕の１論理チャンネルの通信と、〔２×１〕の３論理チャンネルの通信と、〔１×４〕の１論理チャンネルの通信と、〔１×２〕の３論理チャンネルの通信と、〔１×１〕の６論理チャンネルの通信との、合計１７論理チャンネルの割当てを行った例である。
【００２３】
このように伝送容量が設定されるとき、その伝送容量の最大のバンドスロット数で、ガードバンドを決める必要がある。即ち、この例では１論理チャンネルの最大のバンドスロット数が４であるので、図１に示す１システムバンドの両端部に、それぞれ４バンドスロットずつのガードバンド部ｘ1 及びＸ2 を設定する。ガードバンド部ｘ1 は、バンドスロット番号０，１，２，３の帯域であり、ガードバンド部ｘ2 は、バンドスロット番号３０，３１，３２，３３の帯域である。
【００２４】
また、１論理チャンネルで２バンドスロット連続して使用する場合の２バンドスロット幅のガードバンドについても、図１に示すように、１システムバンドの両端部に、それぞれガードバンド部ｘ3 及びＸ4 として設定する。ガードバンド部ｘ3 は、バンドスロット番号０，１の帯域であり、ガードバンド部ｘ4 は、バンドスロット番号３２，３３の帯域である。
【００２５】
さらに、１論理チャンネルで１バンドスロットだけ使用する場合の１バンドスロット幅のガードバンドについても、図１に示すように、１システムバンドの両端部に、それぞれガードバンド部ｘ5 及びＸ6 として設定する。ガードバンド部ｘ5 は、バンドスロット番号１の帯域であり、ガードバンド部ｘ6 は、バンドスロット番号３３の帯域である。
【００２６】
また本例の場合には、用意された１システムバンドの帯域内で、妨害波の存在する帯域を基地局側で検出する処理を行い、その妨害波が存在する帯域があった場合に、その帯域を使用しないように処理する。例えば、図１の例では、バンドスロット番号２９，３０の２バンドスロット区間が、妨害波のある帯域ｊとして認識され、その帯域を割当て処理で使用しない帯域とする。
【００２７】
ここまでの処理が行われると、ガードバンド部と妨害波のある帯域を除いた帯域を使用して、各信号が割当て可能な帯域を図１に示すように設定する。即ち、４バンドスロットまでの信号が割当て可能な帯域として、バンドスロット番号４〜７の帯域ａ１と、バンドスロット番号８〜１１の帯域ａ２と、バンドスロット番号１２〜１５の帯域ａ３と、バンドスロット番号１６〜１９の帯域ａ４と、バンドスロット番号２０〜２３の帯域ａ５と、バンドスロット番号２４〜２７の帯域ａ６を設定する。
【００２８】
そして本例においては、４バンドスロットの信号のガードバンド部ｘ1 及びＸ2 と、２バンドスロットの信号のガードバンド部ｘ3 及びＸ4 との間の帯域に、２バンドスロットずつの帯域があるので、この２バンドスロットずつの帯域に、２バンドスロットまでの信号が割当て可能な帯域を設定する。即ち、２バンドスロットまでの信号が割当て可能な帯域として、バンドスロット番号２，３の帯域ｂ１と、バンドスロット番号３０，３１の帯域ｂ２を設定する。さらに、２バンドスロットの信号のガードバンド部ｘ3 及びＸ4 と、１バンドスロットの信号のガードバンド部ｘ5 及びＸ6 との間の帯域に、１バンドスロットずつの帯域があるので、この１バンドスロットずつの帯域に、１バンドスロットの信号が割当て可能な帯域を設定する。即ち、１バンドスロットの信号が割当て可能な帯域として、バンドスロット番号１の帯域ｃ１と、バンドスロット番号３２の帯域ｃ２を設定する。
【００２９】
この図１に示す周波数割当て状態に基づいて、図２に示すように実際に割当てを行う。図２に示したステップ１からステップ６までの処理が、ここでの割当て処理であり、以下順に説明すると、まず、論理チャンネル番号の設定状態は図１に示したように、４バンドスロット連続使用される帯域として、ａ１〜ａ６の６帯域用意されているので、ステップ１として、論理チャンネル番号０から５までの６チャンネルに、４バンドスロット連続使用される信号が割当て可能な帯域ａ１〜ａ６のバンドスロット番号を順に割当てる。
【００３０】
次にステップ２として、論理チャンネル番号０から５のバンドスロット番号を、基地局側に予め用意された所定の擬似乱数を使用して、ランダムに入替える処理を行う。なお、図２において、二重線で示した部分は、ランダムな入替え処理を実行した部分を示す。そして、本例の場合に実際に４バンドスロット連続して使用する論理チャンネル（即ちバンドスロット数Ｎが４である論理チャンネル）は０から２までであるので、論理チャンネル番号０から２までの３チャンネルでバンドスロット番号を固定する。
【００３１】
次にステップ３として、論理チャンネル番号３から５で伝送される信号は、２バンドスロット連続して使用される信号であるので、この論理チャンネル番号３から５を割当てた帯域ａ４〜ａ６のそれぞれの帯域では、２バンドスロットの余りがあり、帯域ａ４〜ａ６のそれぞれを２つの分割して、増えた部分を論理チャンネル番号６から８に割当てる。具体的には、例えばステップ２での論理チャンネル番号３のバンドスロット番号２４〜２７は、ステップ３でのバンドスロット番号２４，２５に割当て直し、残りのバンドスロット番号２６，２７を、新たに論理チャンネル番号６に割当てる。同様にして、論理チャンネル番号７，８の割当てを行う。
【００３２】
また、このステップ３では、２バンドスロット以下の信号にしか割当てできない帯域ｂ１，ｂ２にも、２バンドスロット以下の論理チャンネルを割当てる。即ち、論理チャンネル番号９に帯域ｂ１のバンドスロット番号２，３を割当て、論理チャンネル番号１０に帯域ｂ２のバンドスロット番号３０，３１を割当てる。
【００３３】
次にステップ４として、前回固定された論理チャンネル番号０から２を除いた設定中の論理チャンネル番号３から１０のバンドスロット番号を、基地局に用意された擬似乱数を使用してランダムに入替える処理を行う。そして、本例の場合に実際に２バンドスロット連続して使用する論理チャンネル（即ちバンドスロット数Ｎが２である論理チャンネル）は３から６までであるので、論理チャンネル番号３から６までの４チャンネルでバンドスロット番号を固定する。
【００３４】
次にステップ５として、論理チャンネル番号７から１０で伝送される信号は、１バンドスロットだけ使用される信号であるので、この論理チャンネル番号７から１０として設定したタイムスロットの帯域では、１バンドスロットの余りがあり、それぞれを２つの分割して、増えた部分を論理チャンネル番号１１から１４に割当てる。具体的には、例えばステップ４での論理チャンネル番号７のバンドスロット番号１４，１５は、ステップ５でのバンドスロット番号１４に割当て直し、残りのバンドスロット番号１５を、新たに論理チャンネル番号１１に割当てる。同様にして、論理チャンネル番号１２，１３，１４の割当てを行う。
【００３５】
また、このステップ５では、１バンドスロットの信号にしか割当てできない帯域ｃ１，ｃ２にも、１バンドスロットの論理チャンネルを割当てる。即ち、論理チャンネル番号１５に帯域ｃ１のバンドスロット番号１を割当て、論理チャンネル番号１６に帯域ｃ２のバンドスロット番号３２を割当てる。
【００３６】
次にステップ６として、前回までのステップで固定された論理チャンネル番号０から６を除いた論理チャンネル番号７から１６のバンドスロット番号を、基地局に用意された擬似乱数を使用してランダムに入替える処理を行う。
【００３７】
このステップ６で得られた各論理チャンネルのバンドスロット番号のデータを使用して、実際に基地局が各通信の割当てを行って端末装置との通信を行う。ここで、通信中に周波数を切換える周波数ホッピングをしない場合には、このステップ６で得られた各論理チャンネルのバンドスロット番号の設定で通信を行えば良いが、ここでは周波数ホッピングを行うので、通信を行う各タイムスロット期間で、バンドスロット番号を入替える処理を行う。例えば、タイムスロット０からタイムスロット３までの４タイムスロット期間の処理を図２に示すと、タイムスロット番号０では、ステップ６で設定された各論理チャンネルのバンドスロット番号をそのまま使用する。
【００３８】
次に、タイムスロット番号１では、バンドスロット幅が１の論理チャンネル番号１１〜１６では、１タイムスロット毎の割当てであるので、この中で擬似乱数を用いてランダムに入替えを行う。そして、論理チャンネル番号７は４タイムスロット連続の割当てであり、論理チャンネル番号８〜１０は２タイムスロット連続の割当てであるので、バンドスロットの入替えは行わない。２バンドスロット幅の論理チャンネル番号３〜６と、４バンドスロット幅の論理チャンネル番号０〜２の間でも、同様に処理する。即ちタイムスロット番号１では、２バンドスロット幅の論理チャンネル番号３〜６では、論理チャンネル番号４〜６が１タイムスロット毎の割当てであるので、この中で擬似乱数を用いてランダムに入替えを行う。このようにして、異なるバンドスロット幅の信号の間では入替えを行わない。
【００３９】
タイムスロット番号２，３でも、同様に同じバンドスロット幅の論理チャンネルの信号の間で、入替えが可能なチャンネル間で、バンドスロット番号の入替えを行う。以下、この処理を通信が続く限り順に行う。
【００４０】
図３は、このようにして設定されたバンドスロット番号と論理チャンネル番号との対応を、バンドスロット番号毎に並べて見た図である。
【００４１】
このようにチャンネル割当てを行うことで、用意された伝送帯域（通信資源）を有効に活用して、異なる大きさを有する複数の通信情報（タスク）に割当てる処理を、効率良く行うことができる。なお、図２で設定した各論理チャンネルでの〔バンドスロット数×タイムスロット数〕の設定は、あくまでも論理的なもので、実際のユーザ情報の通信を行う際には、１つの論理チャンネルで複数のユーザ情報を伝送するように分割使用することもあり得る。
【００４２】
なお、図１，図２に示したチャンネル割当て処理をまとめて示すと、以下の通りとなる。即ち、各々同じ容量を有するｎ個（ｎは任意の整数）のスロットの連続で構成される通信資源を、異なる大きさを有する複数の通信情報に割当てる場合に、各スロットの容量をｃとし、複数の通信情報の大きさはｃ×２k （ｋ＝０，１，２，…，Ｍ）で表されるとき、以下のステップを備える。
【００４３】
そのステップとしては、利用不能なスロットの位置を検出する利用不能スロット検出ステップと、ｎ個のスロットが連続した通信資源の両端部分からｃ×２k の容量の部分の通信資源を非割当てと規定し且つ上記利用不能スロット検出ステップで検出した利用不能な通信資源を非割当てと規定する非割当通信資源設定ステップと、非割当て部分を除いた通信資源を端部から順番にｃ×２k の容量毎に割当てる第ｋ通信資源割当ステップと、第ｋ通信資源割当ステップにて割当て不能であったｃ×２k の容量より小の容量の通信資源を次の第（ｋ−１）通信資源割当ステップでの元の通信資源として非割当通信資源設定ステップと第ｋ通信資源割当ステップをｋがＭから０まで順番に繰り返す第１繰り返しループと、この繰り返しによって割当てられたｃ×２k の容量の通信資源をｃ×２k の容量の通信情報に割当てると共に上記ｃ×２k の容量の通信情報の全てに割当てた後にさらに資源が余っていればｃ×２k-1 の容量の通信情報に対しても割当てを行う第ｋ通信情報割当てステップと、第ｋ通信情報割当てステップで割当てられた通信情報と通信資源の対応関係を入替える第ｋ通信情報割当入替ステップと、第ｋ通信情報割当てステップの際にｃ×２k-1 の容量の通信情報が割当てられその後第ｋ通信情報割当入替ステップによって入替えられた通信資源を２分割し第（ｋ−１）通信情報割当ステップでの元の通信資源として第（ｋ−１）通信資源割当ステップによって割当てられた通信資源と合成する第（ｋ−１）通信資源合成ステップと、第ｋ通信情報割当ステップと第ｋ通信情報割当入替ステップと第（ｋ−１）通信資源合成ステップとをｋがＭから０まで順番に繰り返す第２繰り返しループとで構成される。
【００４４】
なお、ここで通信情報割当てステップで割当てられた通信情報と通信資源の対応関係を入替える通信情報割当入替ステップは、周波数ホッピングを行う場合にだけ必要なステップであり、周波数ホッピングをしない通信システムの場合には、不要である。
【００４５】
次に、以上説明したチャンネル割当てが行われて実際に端末装置と通信が行われる基地局の構成の例を、図６を参照して説明する。
【００４６】
図６は、本例の基地局の全体構成を示すブロック図で、送受信用のアンテナ１１は高周波系回路１２に接続してあり、アンテナ１１で受けた所定の周波数帯の信号（ここでの周波数帯とは３２バンドスロットで構成される１伝送単位の信号）を中間周波信号に変換し、その中間周波信号をアナログ／デジタル変換器１３によりデジタルデータに変換した後、変復調処理部１４に供給する。変復調処理部１４では、供給される中間周波信号の復調処理を行う。ここでの復調処理としては、例えば上述した伝送方式（ＢＤＭＡ方式）で説明した２２本のサブキャリアに分散して変調して伝送されたデータを、１系列のデータとする直交変換などの復調処理を行う。そして、その復調されたデータをデマルチプレクサ１５に供給し、各端末装置から送信されるデータ毎に分離し、分離されたそれぞれのデータを別のデコーダ１６ａ，１６ｂ‥‥１６ｎ（ｎは任意の数）に供給する。デマルチプレクサ１５での分離時には、上述した周波数ホッピングを考慮して、分離する周波数位置（バンドスロット）を随時変えて、各デコーダ１６ａ〜１６ｎに供給する。
【００４７】
このデコーダ１６ａ〜１６ｎは、１つの基地局に同時に接続できる端末装置の台数に対応した数用意され、各デコーダ１６ａ〜１６ｎで端末装置から供給されるデータの復号化処理などを行う。そして、各デコーダ１６ａ〜１６ｎでデコードされたデータを、基地局と接続された別の通信系（図示せず）に供給し、それぞれ端末装置と電話回線を介して接続された相手側に伝送する。但し、端末装置から基地局に対して伝送される接続要求などの制御データについては、いずれかのデコーダ１６ａ〜１６ｎでデコードした後、基地局の制御部２０に供給する。
【００４８】
次に、基地局の送信系の構成について説明すると、接続される各端末装置毎に個別の相手側から基地局に伝送されるデータを、それぞれ別のエンコーダ１７ａ，１７ｂ‥‥１７ｎ（ｎは任意の数）に供給する。このエンコーダ１７ａ〜１７ｎは、デコーダと同様に１つの基地局に同時に接続できる端末装置の台数に対応した数用意され、各エンコーダ１７ａ〜１７ｎで供給されるデータの符号化処理などを行う。そして、各エンコーダ１７ａ〜１７ｎでエンコードされたデータをマルチプレクサ１８に供給し、この基地局で扱う全ての送信データを１系統の送信データとし、変復調処理部１４に供給する。変復調処理部１４では、供給されるデータを２２本のサブキャリアに分散して変調する処理を行い、その変調されたデータをデジタル／アナログ変換器１９でアナログ信号として高周波系回路１２に供給し、所定の周波数帯の信号（ここでの周波数帯とは３２バンドスロットで構成される１伝送単位の信号）に周波数変換して、アンテナ１１から無線送信する。なお、基地局の制御部２０から端末装置に対して送信する制御データについても、いすれかのエンコーダ１７ａ〜１７ｎに供給してエンコードして後、マルチプレクサ１８から高周波系回路１２までの送信系で送信処理して無線送信する。
【００４９】
以上説明した構成にて基地局で端末装置との無線通信が行われるが、その通信制御は、この基地局の制御部２０により行われる。この制御部２０は、マイクロコンピュータなどの制御手段で構成され、この制御部２０で生成された制御データを端末装置側に無線伝送することで、各端末装置との通信の制御が実行される。図１〜図３を参照して説明した上述したチャンネル割当て処理についても、この制御部２０が実行する。従って、制御部２０は、受信した信号から妨害波が存在するバンドスロットの判断を行うと共に、伝送されるデータの容量を判断して、チャンネル割当てができる帯域を判断し、そのチャンネル割当てができる帯域内で、図２に示したステップで論理チャンネルのバンドスロットを設定する処理を行う。従って、バンドスロット番号をランダムで入替えるために使用する擬似乱数のデータについても、制御部２０で生成させる。また、このチャンネル割当てに必要なデータは、各端末装置に対しても制御情報などで送信し、各端末装置側でも同じチャンネル割当て処理ができるようにする。具体的には、各論理チャンネルでの〔バンドスロット数Ｎ×タイムスロット数Ｍ〕の設定に関するデータを端末装置に対して伝送する。また、バンドスロット番号をランダムで入替えるために使用する擬似乱数のデータについても、端末装置に対して伝送する。
【００５０】
次に、この基地局と無線通信が行われる端末装置の構成を、図７を参照して説明する。
【００５１】
図７は、本例の端末装置の全体構成を示すブロック図で、送受信用のアンテナ３１は高周波系回路３２に接続してあり、アンテナ３１で受けた所定の周波数帯の信号（ここでの周波数帯とは１バンドスロットの信号）を中間周波信号に変換し、その中間周波信号をアナログ／デジタル変換器３３によりデジタルデータに変換した後、変復調処理部３４に供給する。変復調処理部３４では、供給される中間周波信号の復調処理を行う。ここでの復調処理としては、例えば上述した伝送方式（ＢＤＭＡ方式）で説明した２２本のサブキャリアに分散して変調して伝送されたデータを、１系列のデータとする直交変換などの復調処理を行う。そして、その復調されたデータをデコーダ３５に供給し、基地局側から伝送されるデータの復号化処理などを行う。そして、デコーダ３５でデコードされたデータを音声処理系回路３６に供給し、通話用音声データの処理を行い、得られた音声信号をスピーカ３７から放音させる。また、デコードされたデータが基地局からの制御データである場合には、この端末装置の制御部４１に供給する。また、受信してデコードされたデータが、通話用音声データ以外のデータ（画像データ，電子メールデータなど）の場合には、対応したデータを処理する回路（図示せず）を音声処理系回路３６に接続して、その回路で処理させる。
【００５２】
次に、端末装置の送信系の構成について説明すると、送信するデータが通話用音声である場合には、マイクロホン３８が拾った音声信号を音声処理系回路３６に供給し、所定の方式の音声データとした後、この音声データをエンコーダ３９に供給して、符号化処理などを行う。また、送信するデータが通話用音声データ以外のデータ（画像データ，電子メールデータなど）である場合には、そのデータの処理回路から音声処理系回路３６を経由してエンコーダ３９に供給し、符号化処理などを行う。そして、エンコーダ３９でエンコードされたデータを変復調処理部３４に供給する。変復調処理部３４では、供給されるデータを２２本のサブキャリアに分散して変調する処理を行い、その変調されたデータをデジタル／アナログ変換器４０でアナログ信号として高周波系回路３２に供給し、所定の周波数帯の信号に周波数変換して、アンテナ３１から無線送信させる。なお、端末装置の制御部４１から基地局に対して送信する接続要求などの制御データについても、エンコーダ３９に供給されてエンコードされた後、変復調処理部３４から高周波系回路３２までの送信系で送信処理されて無線送信される。
【００５３】
この端末装置での受信状態及び送信状態は、マイクロコンピュータなどの制御手段で構成される制御部４１により制御される。また、制御部４１にはダイヤルキーなどのキー４２からの操作情報が供給される構成としてある。さらに、制御部４１には液晶表示パネルなどで構成される表示部４３が接続してあり、動作状態などを表示する。
【００５４】
本例の制御部４１では、基地局から送信される制御情報を判断して、送受信を行う周波数チャンネル（バンドスロット）やその周波数チャンネルでの送受信のタイミング（即ち送信や受信を行うタイムスロット）を判断し、端末装置内の各部を対応した状態の処理を行うように制御する。この場合、基地局から制御情報などで伝送されるチャンネル割当てに必要なデータを、制御部４１が判断して、基地局側で実行した図２のステップ１からステップ６までの処理と同じ処理を、制御部４１で実行して、各タイムスロットでの論理チャンネル番号とバンドスロット番号との対応状態を記憶しておく。具体的には、各論理チャンネルでの〔バンドスロット数Ｎ×タイムスロット数Ｍ〕の設定に関するデータを使用して、図２のステップ１からステップ６までの処理を行う。このとき、バンドスロット番号をランダムで入替えるために使用する擬似乱数のデータについても、基地局から伝送されたデータを使用する。このように処理することで、基地局で設定されたチャンネル割当て状態が、端末装置側でも判断でき、チャンネル割当てがリアルタイムで随時行われる場合でも、基地局と端末装置との間で同期して通信ができる。
【００５５】
なお、以上説明した本発明の実施の形態では、本発明の資源割当て処理を、無線電話システムでの通信資源の割当て処理に適用したが、本発明の資源割当て処理は、その他のシステムでの資源割当て処理にも適用できる。即ち、例えばコンピュータ装置などの各種データ処理装置でデータ処理を行う場合において、異なる容量のデータ（タスク）が混在する場合に、その各容量のデータを何らかのもの（資源）に割当てて処理する場合などにおいても、本発明は適用できるものである。
【００５６】
また、上述した実施の形態での通信構成やフレーム構成などの詳細については一例を示したもので、上述した実施の形態に限定されるものではない。特に、上述した実施の形態ではマルチキャリア信号が伝送される通信システムに適用したが、その他の通信方式での各種通信処理に、本発明の通信資源割当て処理が適用できるものである。
【００５７】
【発明の効果】
請求項１に記載した資源割当方法によると、各々同じ容量を有するｎ個の連続した資源を、異なる大きさを有する複数のタスクに割当てる資源割当処理が、簡単な演算処理で効率良く行われる。
【００５８】
請求項２に記載した資源割当方法によると、各々同じ容量を有するｎ個の連続した資源を、異なる大きさを有する複数のタスクに割当てる場合に、その割当てる資源とタスクとの関係を随時入替える必要がある場合にも、簡単な演算で効率良く割当処理を行うことができる。
【００５９】
請求項３に記載した資源割当方法によると、請求項２に記載の資源割当方法において、擬似乱数によって入替え処理を行うことで、入替え状態が擬似的にランダムな状態になり、ほぼ均等な状態でタスクの入替えが実現できる。
【００６０】
請求項４に記載した通信資源割当方法によると、各々同じ容量を有するｎ個の連続したスロットを、異なる大きさを有する複数の通信情報に割当てる通信資源割当処理が、簡単な演算処理で効率良く行われる。従って、通信手段に割当てられた周波数帯域などのスロット数と、伝送する通信情報の数や情報量などの状態に応じた最適な割当てを、簡単に行うことができる。
【００６１】
請求項５に記載した通信資源割当方法によると、各々同じ容量を有するｎ個の連続したスロットを、異なる大きさを有する複数の通信情報に割当てる通信資源割当処理が、その割当てるスロットと通信情報との関係を随時入替える必要がある場合にも、簡単な演算処理で効率良く行われる。
【００６２】
請求項６に記載の通信資源割当方法によると、請求項５に記載の通信資源割当方法において、擬似乱数によって入替えを行うことで、入替え状態が擬似的にランダムな状態になり、ほぼ均等な状態でスロットと通信情報との対応の入替えが実現できる。
【００６３】
請求項７に記載の基地局によると、ｎ個のスロットの連続で構成される通信資源が各局に割当てられ、異なる大きさを有する複数の単位の通信情報を通信資源に割当てて端末装置に対して伝送する場合の、その通信情報の各スロットへの割当てが、その基地局に割当てられた周波数帯域などのスロット数と、伝送する通信情報の数や情報量などの状態に応じた最適な状態で行われ、端末装置との通信を常時最適なスロット割当てで行える。
【００６４】
請求項８に記載の基地局によると、請求項７に記載の基地局において、通信資源設定手段で設定されるスロットと各単位の通信情報との対応関係を所定の順序で入替えることで、割当てるスロットと通信情報との関係を随時入替える必要がある場合にも、端末装置との通信を常時最適なスロット割当てで行える。
【００６５】
請求項９に記載の基地局によると、請求項８に記載の基地局において、所定の順序は、擬似乱数で設定されるようにしたことで、入替え状態が擬似的にランダムな状態になり、ほぼ均等な状態でスロットと通信情報との対応の入替えが実現できる。
【００６６】
請求項１０に記載の基地局によると、請求項８に記載の基地局において、所定の順序に関する情報を、端末装置に対して伝送するようにしたことで、端末装置側でスロットと通信情報との対応の入替え状態が簡単に判断でき、基地局と端末装置との間の通信が良好に行える。
【００６７】
請求項１１に記載の端末装置によると、各々同じ伝送容量を有するｎ個のスロットの連続で構成される通信資源が割当てられた基地局から、異なる大きさを有する複数の単位の通信情報を通信資源に割当てて伝送される信号の通信が、簡単な演算処理によるスロットの判断で良好に行える。
【００６８】
請求項１２に記載した端末装置によると、請求項１１に記載の端末装置において、通信資源設定処理で設定されるスロットと各単位の通信情報との対応関係を所定の順序で入替える入替え処理を行うことで、基地局での割当ての対応関係に入替処理が施されている場合にも、その入替処理に同期して良好に通信できる。
【００６９】
請求項１３に記載した端末装置によると、請求項１２に記載の端末装置において、所定の順序は、制御情報で指定される擬似乱数で設定されるようにしたことで、常に基地局側で指定された状態で入替え処理が行われ、基地局と同期して良好に通信できる。
【図面の簡単な説明】
【図１】本発明の実施の形態による周波数割当て状態を示す説明図である。
【図２】本発明の実施の形態による論理チャンネル番号とバンドスロット番号との対応の例を示す説明図である。
【図３】本発明の実施の形態によるバンドスロットに割当てられる論理チャンネル番号の例を示す説明図である。
【図４】本発明の実施の形態による伝送信号のスロット構成を示す説明図である。
【図５】本発明の実施の形態によるバンドスロット配置を示す説明図である。
【図６】本発明の実施の形態による基地局の構成を示すブロック図である。
【図７】本発明の実施の形態による端末装置の構成を示すブロック図である。
【符号の説明】
ａ１〜ａ６…４バンドスロットまでの信号が割当て可能な帯域、ｂ１，ｂ２…２バンドスロットまでの信号が割当て可能な帯域、ｃ１，ｃ２…１バンドスロットの信号が割当て可能な帯域、ｊ…妨害波のある帯域、ｘ1 ，ｘ2 …ガードバンド部（４バンドスロット連続使用される信号用）、ｘ3 ，ｘ4 …ガードバンド部（２バンドスロット連続使用される信号用）、ｘ5 ，ｘ6 …ガードバンド部（１バンドスロットだけ使用される信号用）、１２…高周波系回路、１４…変復調処理回路、１５…デマルチプレクサ、１６ａ〜１６ｎ…デコーダ、１７ａ〜１７ｎ…エンコーダ、１８…マルチプレクサ、２０…制御部、３２…高周波系回路、３４…変復調処理回路、３５…デコーダ、３６…音声系回路、３９…エンコーダ、４１…制御部
【図１】
0003721741.tif 000002
【図２】
0003721741.tif 000003
【図３】
0003721741.tif 000004
【図４】
0003721741.tif 000005
【図５】
0003721741.tif 000006
【図６】
0003721741.tif 000007
【図７】
0003721741.tif 000008